(57)【要約】【課題】  手提げでの使用時に背負い域の紐がブラブラして邪魔にならない背負える手提げ紙袋を提供する。【解決手段】  少なくても前壁と背壁とで袋体を形成し、該前壁の上部に左右線対称で一方と他方の天穴を開け、該背壁の上部にも該前壁と重なり合う箇所へ一方と他方の天穴を開け、該天穴は前後で対を成して左右二対と成り、該袋体の下部に左右面対称で地穴を開け、一方と他方の二本の紐を設け、一方の紐の一方の端を背壁の一方の天穴へ外（背）から通して天玉を形成して固定し、一方の紐の他方は紐の交差部を経由して前壁の他方の天穴へ外（前）から通して袋体の外へ出して他方の地穴へ外から通して該一方の紐の他方の端を固定し、他方の紐は前記一方の紐と左右面対称の紐通し構造にし、筒へ該交差部を通して楽に引き上げて手提げに切り替え易くする。【選択図】  図１
2015008805.tif 000002
【特許請求の範囲】
【請求項１】
少なくても前後で面対称な前壁と背壁とで袋体を形成し、該前壁の上部に左右線対称で一方と他方の天穴を開け、該背壁の上部にも該前壁と重なり合う箇所へ一方と他方の天穴を開け、該天穴は前後で対を成して左右二対と成り、該袋体の下部に左右面対称で地穴を開け、一方と他方の紐を設け、一方の紐の一方の端を背壁の一方の天穴へ外（背）から通して天玉を形成して固定し、一方の紐の他方は紐の交差部を経由して前壁の他方の天穴へ外（前）から通して袋体の外へ天開口部から出して他方の地穴へ外から通して該一方の紐の他方の端を他方の地玉で固定し、他方の紐の一方の端を背壁の他方の天穴へ外（背）から通して天玉を形成して固定し、他方の紐の他方は紐の該交差部を経由して前壁の一方の天穴へ外（前）から通して袋体の外へ該天開口部から出して一方の地穴へ外から通して該他方の紐の他方の端を一方の地玉で固定したことを特徴とする交差紐背負い袋。
【請求項２】
開口部を左右方向へ向けた筒を設け、該筒へ交差部を通したことを特徴とする請求項１記載の交差紐背負い袋。
【発明の詳細な説明】
【技術分野】
【０００１】
本発明は、手提げにもなる背負い紙袋に関する物である。
【背景技術】
【０００２】
従来の手提げにもなる背負い紙袋及び袋は、前壁に紐を通して背負える構造にしている物もあるが、手提げにする場合、袋開口部の長手方向である左右方向へ腕や手を通して持つ構造（文献１）であり、前記長手方向と直角に交差する袋開口部の幅方向である前後方向へ腕や手を通して持つ構造の袋は、別個の吊手を取り付けた構造の物（文献２）であった。背負い紐を交差させて背負う構造の袋（文献３）は背中で紐を交差させているので交差箇所は手提げに利用できず、帯紐状部材を交差させる構造の提げ手は取付片を収納箱に接着して取り付ける構造であって背負うことは不可能な構造であった。
【先行技術文献】
【特許文献】
【０００３】
【特許文献１】実登３０５４９１８号
【特許文献２】実登３０２１８２９号
【特許文献３】実登３０３８３６０号
【特許文献４】特開平１１−２０８６７３号
【発明の概要】
【発明が解決しようとする課題】
【０００４】
従来技術の問題点を文献単位で述べる。文献１は長手方向である左右方向へ腕や手を通す構造で、中心の帯で左右の背負い帯が連なっているので背負い帯の長さの比が変化し、開き口を通る帯が収納物の出し入れを邪魔する。文献２は手提げにするための吊手を別個に取り付けなければならず、手提げ使用時に肩紐を短く収納できない。文献３は肩掛け紐を交差させる箇所である固定部が使用者の背部に位置し、該固定部は上下方向に開口部がある短い筒形状なので手提げには不向きな形状である。文献４は帯紐状部材がＸ字状に交差して把手を形成しているが、該帯紐状部材は取付片の接着で固定されているので、該帯紐状部材を引き出して背負い帯紐にすることは不可能である。本発明では前記従来技術の問題の解決を課題にする。
【課題を解決するための手段】
【０００５】
少なくても前壁と背壁とを設けて袋体を形成し、該前壁の上部の一方である左側へ一方の天穴を開け、該前壁の上部の他方である右側へ他方の天穴を開け、前後で重なる該背壁でも前記の前壁と重なる位置へ一方と他方の天穴を開け、該袋体の下部の一方である左側へ一方の地穴を開け、該袋体の下部の他方である右側へ他方の地穴を開ける。一方と他方の二本の紐を設け、一方の紐の一方の端を背壁の一方の天穴に外から通して天玉で該紐の端を固定し、一方の紐の他方は交差部を通って前壁の他方の天穴に外から通して袋体の開口部から外へ出して他方の地穴へ一方の紐の他方の端を通して固定し、他方の紐は前記一方の紐の通し構造に対して左右逆の面対称の通し構造で行ない、該紐が二本余裕を持って通せる内径を有する筒を設け、該筒の開口部を左右方向へ向けた状態で該紐を左右別方向から通して該交差部を該筒の内側中央に形成する。地穴と前壁の天穴の間に位置する紐の領域を背負い域とし、天穴から袋体の外に出た紐領域を手提げ域とし、該手提げ域の交差箇所を交差部とする。
【発明の効果】
【０００６】
交差部で紐がＸ字状に交差しているので、腕や手を左右方向や前後方向のどちらへでも通して手提げすることができ、筒の開口部を左右にしているので前後方向へ腕や手を通し易い構造になり、該筒を引き上げれば、該筒内の交差部で紐がスライドすると同時に前壁の天穴からも紐が外へ引き出されるので手提げ状態になる。背負い域を天開口部から左右の外側へ引き出すことで前記背負い域が長くなって背負い状態になる。手提げ域の基部（天穴との隣接領域）は天穴から袋体の外へ出ているので、交差部を袋体の外面へ垂らせば該手提げ域の全てが該袋体の外面へ垂れ下がるので、袋体へ物を出し入れする場合、該手提げ域は前記の出し入れ作業の邪魔にならない。
【図面の簡単な説明】
【０００７】
【図１】背負い状態要部透視正面斜視図である。（実施例１）
【図２】手提げ状態要部透視正面斜視図である。
【図３】置き状態要部透視正面斜視図である。
【図４】要部透視底面斜視図である。
【発明を実施するための形態】
【０００８】
別個の吊手を付けることなく袋体の前後方向に腕や手を通して手提げにでき、手提げ域を袋体の外へ容易に垂れ下げられるので収納物の出し入れに障害がなくなり、背負い域を外へ引き出すことで手提げ域が引き込まれて短くなり、引き出されて長くなった背負い域を肩に掛けて楽に背負うことのできる交差紐背負い袋を実現した。
【実施例１】
【０００９】
図１は背負い状態要部透視正面斜視図である。透視線は破線で表示し、山折谷折で表示する折り曲げ方向は外側からを基準にして述べる。袋体１は少なくても前壁２と背壁３とによって形成され、正面側に位置する該前壁２と背面側に位置する該背壁３は前後で面対称であることが望ましく、該前壁２と該背壁３との底辺と左右両側辺を連接することで該袋体１は袋形状と成り、該前壁２と該背壁３とだけで形成された平たい形状の袋体１であっても良いが、該前壁２と該背壁３との左右両側辺へ山折線を介して襠壁４を延設し該前壁２と該背壁３との底辺へ山折線を介して底壁５を延設して天面の開口領域を天開口部６とする直方体形状の袋体１であることが望ましく、該天開口部６の縁は切断縁であっても良いが天開口部６の縁を内側へ袋折して返し帯７を延設することが望ましく、該袋体１を構成する素材は布や不織布や人工樹脂膜であっても良いが通常の紙袋に使用されている紙であることが望ましい。
【００１０】
袋体１に紐８を通すための穴を開ける場所を述べるならば、前壁２の上部に天穴９を二箇所開け、該天穴９は水平に並ぶことが望ましくて該前壁２の天縁に適宜な幅を有しており、該前壁２の左右横縁に適宜な幅有しており、前記の適宜な幅とは従来の紙袋と同じ程度の幅を意味している。
【００１１】
前記の前壁２と正面背面（前後）の面対称で背壁３が有しており、該背壁３の上部にも二箇所の天穴９を開けるのであり、該背壁３に開けられた双方の天穴９は前記前壁２に開けられた双方の天穴９と前後の面対称で重なり合う位置関係で設け、前記四箇所の天穴９は前記返し帯７が袋折によって折り重なった状態で貫通して開ける。
【００１２】
袋体１の両側面には縦長矩形の襠壁４が延設されていることが望ましく、該襠壁４は従来の紙袋と同じ形状と構造を成しており、該襠壁４の中央に垂直な谷折線である襠谷線１０を入れ、該襠谷線１０の下端部（場合によっては下部中間部）を頂点とする直角二等辺の谷折線を入れ、前記直角二等辺の谷折線以下の領域を三角域１１とする。
【００１３】
袋体１の下部に地穴１２を開けるのであるが、前壁２の下部に該地穴１２を開けても良いが、襠壁４の下部領域である三角域１１に該地穴１２を開けることが望ましく、該地穴１２は該三角域１１の中央に開けても良いが適宜に正面へ移動した箇所に開けることが望ましい。
【００１４】
天穴９は四箇所で有しており、該天穴９の符号を区別して述べるならば、前壁２での左側を一方の天穴９ａとして右側を他方の天穴９ｂとし、該前壁２に対して背面へ面対称の対で有する背壁３での左側を一方の天穴９ａ´として右側を他方の天穴９ｂ´とする。地穴１２は少なくても二箇所で有しており、該地穴１２の符号を区別して述べるならば、左側である一方の襠壁４ａの下部に位置する物を一方の地穴１２ａとし、右側である他方の襠壁４ｂの下部に位置する物を他方の地穴１２ｂとする。
【００１５】
紐８は一本に繋げた形状であっても良いが、一方の紐８ａと他方の紐８ｂの二本を用いることが望ましい。一方の紐８ａの通し構造を述べるならば、一方の端は背壁３の左側である一方の天穴９ａ´に外（背）から通して一方の天玉１３ａを設けて該一方の天穴９ａ´に固定する。一方の紐８ａの他方は略矩形の天開口部６の中央を斜めに横断して前壁２の右側である他方の天穴９ｂへ外（前）から通して該天開口部６から袋体１の外へ出して他方の地穴１２ｂへ外（右）から通して固定する。前記の他方の天穴９ｂから他方の地穴１２ｂへ外（右）から通し天開口部６の中央を斜めに横断している紐８ａ領域を一方の手提げ域１４ａとし、前記の他方の天穴９ｂから他方の地穴１２ｂの間の紐８ａの領域を一方の背負い域１５ａとする。
【００１６】
他方の紐８ｂの通し構造を述べるならば、一方の端は背壁３の右側である他方の天穴９ｂ´に外（背）から通して他方の天玉１３ｂを設けて該他方の天穴９ｂ´に固定する。他方の紐８ｂの他方は略矩形の天開口部６の中央を斜めに横断して前壁２の左側である一方の天穴９ａへ外（前）から通して該天開口部６から袋体１の外へ出して一方の地穴１２ａへ外（左）から通して固定する。前記の一方の天穴９ａから一方の地穴１２ａへ外（左）から通し天開口部６の中央を斜めに横断している紐８ｂ領域を他方の手提げ域１４ｂとし、前記の一方の天穴９ａから一方の地穴１２ａの間の紐８ｂの領域を他方の背負い域１５ｂとする。一方の天玉１３ａと他方の天玉１３ｂは紐８の端を丸結びすることによって形成するのが望ましいのであるが、人口樹脂製の棒状の玉（商品名カンタッグ）であっても良い。
【００１７】
上記手提げ域１４は、一方の手提げ域１４ａと他方の手提げ域１４ｂの二本で構成されており、該一方の手提げ域１４ａと他方の手提げ域１４ｂの双方は略矩形の天開口部６の中央を互いに逆方向の斜めに横断していることから、前記双方の手提げ域は天開口部６の中央で交差しており、前記の交差箇所を交差部１６とする。
【００１８】
上記の交差部１６がＸ字状に交差しているので、手や腕を該交差部１６の左右方向と前後方向のどちらからでも通して手提げにすることが可能になる。袋体１の天開口部６の長手方向は左右方向であり、前記長手方向へ手や腕を通して手提げにする場合は交差部１６を設ける必要もないので、該交差部１６を設けた理由は手や腕を前後方向へ通して手提げにすることが本来の目的である。筒１７の開口部を左右方向へ向けた状態で設け、該筒１７の左右方向の双方から一方の手提げ域１４ａと他方の手提げ域１４ｂとを通して該筒１７の内部に交差部１６を形成する。筒１７の太さや長さは限定ではなくて適宜であって良いが、筒１７の内径は紐８が二本遊びを有して通せる太さであれば良く、筒１７の長さは大人の手の平の幅と略同寸であれば良い。筒１７の形状は限定ではないが円筒形であることが望ましく、筒１７の素材は限定ではなくて紙管であっても良いが、弾力のある人工樹脂であることが望ましい。
【００１９】
図２は手提げ状態要部透視正面斜視図である。筒１７を引き上げることで交差部１６は該筒１７の内側中央で交差した状態を保ったままスライドしながら引き上げられ、袋体１の自重及び収納物の重み或いは手で該袋体１を押さえ付けながら該筒１７を引き上げることで前壁２の上部に有する天穴９ａと９ｂから紐８ａと８ｂが引き出されて手提げ域１４ａと１４ｂが長くなって手提げ状態に成り、背負い域１５ａと１５ｂは天穴９ａと９ｂへ引き込まれるので短くなり、該背負い域１５ａと１５ｂの弛みが無くなるので手提げの邪魔にならない。
【００２０】
襠壁４の下部に開けられた地穴１２へ背負い域１５の下端が通されて固定しているので、谷折された襠谷線１０によって中央が谷折で凹んでいる襠壁４へ該背負い域１５が嵌り込み易くなり、該背負い域１５が外の障物に当たったり引っ掛ったりなどの邪魔になる恐れがなくなる。
【００２１】
手提げ域１４と背負い域１５との境界は区分箇所の無い紐であることが基本構造であるが、該手提げ域１４と該背負い域１５との境箇所に中玉１８を設けても良く、該中玉１８は本発明物を手提げで使用する場合に於いて背負い域１５が伸びて弛みが無くなった状態で該背負い域１５の上端が前壁２の天穴９に接する箇所に設けることが望ましく、該中玉１８は丸結びで形成できる他に別具を挟み込んだり巻き付けたりして形成しても良い。手提げ域１４の正面端は該中玉１８で固定されて該手提げ域１４の背面端は天玉１３で固定されているので該手提げ域１４の四端が固定されて安定した状態の手提げ袋として使用でき、該中玉１８を摘んで外側へ引き出せば背負い使用への切り替えも楽に行える。
【００２２】
図３は置き状態要部透視正面斜視図である。本発明は購買物を収納するための梱包用紙袋であることから、置き状態にされた袋体１へ購買物を収納する場合、その収納作業の妨げを排除する必要がある。筒１７を袋体１の正面（背面であっても良い）へ出して垂れ下げることで交差部１６を含む手提げ域１４が該袋体１の外周を取り囲んで垂れ下がり、該袋体１の内部には該手提げ域１４は残留していない。該手提げ域１４が袋体１の外へ垂れ下がり易くしている要因は、四箇所で有している該手提げ域１４の端全てを四箇所で有している天穴９の全てへ外から挿入しているからである。
【００２３】
背負い域１５は元々袋体１の外へ出ているので改めて外へ出す作業は不要である。前記で述べたように該手提げ域１４と該背負い域１５の全ては該袋体１の外に出ているので、該袋体１の中へ残留しているのは天玉１３と中玉１８の小さな箇所だけなので、置き状態の該袋体１へ購買物を収納する場合、その収納作業の妨げになる領域を排除した構造になっている。
【００２４】
図４は要部透視底面斜視図である。背負い域１５の下端を襠壁４下部に開けられた地穴１２へ外から挿入して取り付け固定した状態を図３までで図示していたが、該地穴１２は底壁５にも形成されており、該襠壁４の下辺が袋折されて三角域１１と該底壁５とが重なった状態で該地穴１２は該底壁５をも含めて貫通させて地穴１２を設けており、該底壁５に開けられた地穴１２の一方を地穴１２ａ´として他方を地穴１２ｂ´とする。前記地穴１２ａ´と地穴１２ｂ´の各々から背負い域１５の下端を出し、該背負い域１５の端に地玉２０を形成して該背負い域１５の下端を固定するのであり、該地穴１２ａ´で地玉２０ａが固定され、該地穴１２ｂ´で地玉２０ｂが固定される。
【００２５】
袋体１の底壁５の構造は従来の梱包用紙袋と同じであり、双方の襠壁４の各々の下辺に延設された矩形底片２１を直角に内方へ折り曲げ、前壁２と背壁３の各々の下辺に延設された台形底片２２を直角に内方へ折り曲げ、該矩形底片２１と該台形底片２２との重なった領域及び該台形底片２２どうしの重なった領域を接着することで該底壁５を形成する。図示していないが該底壁５には略同型略同寸の底板紙を重ねて補強することが望ましく、前記底板紙重合構造は従来構造でもあり、前記底板紙を重ねて貫いた構造で地穴１２ａ´と地穴１２ｂ´は補強されて形成されており、前記底板紙と地穴１２ａ´及び地穴１２ｂ´とを接着することで前記の補強構造は更に強化される。
【産業上の利用可能性】
【００２６】
本発明は、背壁の平な広い面へ広告主の印刷をして、広告媒体として使用することもできる。
【符号の説明】
【００２７】
１    袋体
２    前壁
３    背壁
４    襠壁
５    底壁
６    天開口部
７    返し帯
８、８ａ、８ｂ  紐
９、９ａ、９ｂ、９ａ´、９ｂ´  天穴    
１０  襠谷線
１１  三角域
１２、１２ａ、１２ｂ、１２ａ´、１２ｂ´  地穴
１３、１３ａ、１３ｂ  天玉
１４、１４ａ、１４ｂ  手提げ域
１５、１５ａ、１５ｂ  背負い域
１６  交差部
１７  筒
２０、２０ａ、２０ｂ  地玉
【図１】
2015008805.tif 000003
【図２】
2015008805.tif 000004
【図３】
2015008805.tif 000005
【図４】
2015008805.tif 000006
【手続補正書】
【提出日】平成26年8月14日(2014.8.14)
【手続補正１】
【補正対象書類名】特許請求の範囲
【補正対象項目名】全文
【補正方法】変更
【補正の内容】
【特許請求の範囲】
【請求項１】
少なくても前後で面対称な前壁と背壁とで袋体を形成し、該前壁の上部に左右線対称で一方と他方の天穴を開け、該背壁の上部にも該前壁と重なり合う箇所へ一方と他方の天穴を開け、該天穴は前後で対を成して左右二対と成り、該袋体の下部に左右面対称で地穴を開け、一方と他方の紐を設け、一方の紐の一方の端を背壁の一方の天穴へ外（背）から通して天玉を形成して固定し、一方の紐の他方は紐の交差部を経由して前壁の他方の天穴へ外（前）から通して袋体の外へ天開口部から出して他方の地穴へ外から通して該一方の紐の他方の端を他方の地玉で固定し、他方の紐の一方の端を背壁の他方の天穴へ外（背）から通して天玉を形成して固定し、他方の紐の他方は紐の該交差部を経由して前壁の一方の天穴へ外（前）から通して袋体の外へ該天開口部から出して一方の地穴へ外から通して該他方の紐の他方の端を一方の地玉で固定したことを特徴とする交差紐背負い袋。